(57)【特許請求の範囲】
【請求項１】
握りストリップ（３）と、側板（６）の欄干上側部（７）におけるガイド表面（５）を備えたガイド（４）と、手すり（２）をガイド（４）に沿ってけん引手段（９）によって移動させる駆動装置（８）とを備える、エスカレータまたはムービングウォークのための手すり（２）であって、
少なくとも部分的に自己消火性プラスチック材料のものであるケーシングが、握りストリップ（３）を取り囲むこと、握りストリップ（３）は、その長手方向（１４）の個々のセグメントからなること、個々のセグメントは、その横断面において、ブレーシングとケーシングの間の空洞（２９ａから２９ｄ）を互いに分離させるブレーシング（２７ａ、２７ｂ、２８ａ、２８ｂ）を有すること、握りストリップ（３）は、４０と７８ｍｍの間の範囲の手すりの幅にあること、握りストリップ（３）は、３４から７０ｍｍの間の範囲の高さにあること、ケーシングは、手すりの幅または高さよりも実質的に小さい厚さを有すること、および、個々のセグメントの表面が、コ−ティング、塗装もしくは色づけされているか、または、物理的蒸着として、金属化表面として、あるいは、炭素のダイヤモンドライク保護層もしくはプラズマ表面もしくはナノ表面として構築されていることを特徴とする、手すり（２）。
【請求項２】
握りストリップ（３）が、異なる材料または異なるプラスチック材料または複合材料からなることを特徴とする、請求項１に記載の手すり（２）。
【請求項３】
握りストリップ（３）が、完全にまたは部分的に自己消火性プラスチック材料のものであることを特徴とする、請求項１から２のいずれか一項に記載の手すり（２）。
【請求項４】
着火時、自己消火性プラスチック材料が、不活性ガスおよび／または二酸化硫黄および／または亜硫酸および／またはアンモニアおよび／または酸化窒素および／または硝酸および／または硫酸および／または煤煙および／またはシアン化水素酸またはシアン化水素および／またはフッ化水素および／または塩化水素および／または臭化水素および／またはヨウ化水素および／または窒素物質および／または窒素ガスを全く放出または排出しないことを特徴とする、請求項１から３のいずれか一項に記載の手すり（２）。
【請求項５】
自己消火性プラスチック材料が、３０から１８５Ｎ／ｍｍ２の範囲の屈曲強さを有することを特徴とする、請求項１から４のいずれか一項に記載の手すり（２）。
【請求項６】
自己消火性プラスチック材料が、４００ボルトを超えるクリープ電流強さを有することを特徴とする、請求項１から５のいずれか一項に記載の手すり（２）。
【請求項７】
０．７５の厚さにおけるアメリカ保険業者安全試験所のＵＬ９４規格での試験による可燃率が、少なくともクラスＶ１に相当することを特徴とする、請求項１から６のいずれか一項に記載の手すり（２）。
【請求項８】
握りストリップ（３）が、７０から４０ｍｍの幅および６０から４０ｍｍの高さを備えた長円または楕円の横断面を有することを特徴とする、請求項１から７のいずれか一項に記載の手すり（２）。
【発明の詳細な説明】
【技術分野】
【０００１】
本発明は、エスカレータまたはムービングウォークの形態の人運搬装置のための手すりに関する。
【背景技術】
【０００２】
「手すり」とは、エスカレータまたはムービングウォークの（片側または）両側に配置された欄干のところにある装置であると理解される。手すりストリップまたは握りストリップは、特に、エスカレータまたはムービングウォークが動くのと同じ速度でこの欄干に沿って誘導される。それによって、握りストリップは、運搬装置上に位置し、これに乗るまたはこれから降りる人に対して支持または握り部分を提供する。
【０００３】
人運搬装置の必須の構成要素として、これは、たとえば駅または百貨店などの公共施設が考えられるが、手すりは、高レベルの機能だけでなく高度の安全要求も満たさなければならない。
【０００４】
手すりは、大抵けん引手段を備え、その助けを得て、駆動装置によってガイドを通して引っ張られる。ガイドは、エスカレータまたはムービングウォークの（片側または）両側に配置された欄干に沿って通っている。エスカレータに見られるような欄干を回る循環が描かれ得るように、けん引手段だけでなく、手すり自体も、可撓性になるまたは諸要素からなる必要がある。この循環は、さまざまな湾曲部および半円部または半楕円部ならびに駆動ホイールのルーピングから構成される。
【０００５】
特許公開明細書の独国特許第２２０３１７８号明細書は、４つの主要な個々の部分からなる手すりを開示している。けん引手段が、第１の主要な個々の部分として示されたものである。けん引手段は、好ましくは、鋼バンドからなる。第２に、横断面がＣ字形であり、長手方向に個々のセグメントからなるプロファイル部材。セグメントは固定されるが、湾曲した循環を描けるように中間空間を有する。これらの中間空間は、隣接するセグメントのそれぞれ凹（後ろ）側の反対側に配設された凸型端部によって形成される。第３に、この特許公開明細書に開示された手すりは、別の、ほぼ矩形の小さいプロファイル部材を有する。この非常に短いプロファイル部材は、歯を有し、さらに連結レセプタクルが取り付けられる。けん引運搬具は、Ｃ字形とほぼ矩形の小さいプロファイル部材の間の定位置に、Ｃ字形プロファイル部材内の適切な連結要素によってクランプ締めされ、この要素は、レセプタクル内に押し込まれる。第４に、この特許公開明細書に開示された手すりは、Ｃ字形運搬具のプロファイル部材またはプロファイル部材を包む握りストリップを備える。
【先行技術文献】
【特許文献】
【０００６】
【特許文献１】独国特許第２２０３１７８号明細書
【特許文献２】国際公開第２００６／０１０１８１号パンフレット
【発明の概要】
【発明が解決しようとする課題】
【０００７】
この手すり構成は、これほどの多くの部分または個々の部分からなることが欠点である。横断面には４つの個々の部分が存在し、長手方向の横断面には、循環経路に沿った屈曲が確実になるように多くの小さい、狭小の個々の部片が存在する。しかしながら、これほど多くの個々の部分は、コストまたは組立てコストの大きな増大だけでなく、現場での組立てにおける経費の上昇も生じさせる。長手方向部片をより少なく選択することによって個々の部分の数を低減しようとする場合、けん引手段のよじれ負荷が屈曲硬性を除々に増大させ、これは、湾曲誘導および半円誘導の低下または誘導能力の全体的な低下という結果を有する。
【０００８】
この特許公開明細書の独国特許第２２０３１７８号明細書に説明された手すり構成からすると、その目的は、説明された欠点を有さない手すりを備えた人運搬装置を作り出すことにある。加えて、より経済的なものであり、人間工学的に、また握るという点で改良された手すりが、作り出されなければならない。さらに、手すりは、必要となる安全要求を維持またはさらには上回らなければならない。
【課題を解決するための手段】
【０００９】
本発明者は、欄干上側部とガイドプロファイル部材の間に従来形成されているガイド表面が、欄干上側部と握りストリップ自体の間にも形成され得ることを認識した。本発明によれば、手すりの誘導は、握りストリップ内に一体化される。手すりは、横断面で考えて、このようにして、握りストリップおよびけん引手段の２つの個々の部分だけに低減されることができる。
【００１０】
さらに、本発明によれば、握りストリップは、製造時、けん引手段を機械的にしっかりと方法で囲むように、注入され、鋳造され、または射出成形され、あるいは押し出しもされる。この機械的にしっかりとした囲い込みは、けん引手段が、（たとえば射出成形された）握りストリップおよび対応するくぼみによって機械的にしっかりと囲まれる突出部および凹部を有するようなものになり得る。しかしながら、注入および／または鋳造または押し出しまたは引き抜き成形中に、先ほど説明された突出部およびくぼみを用いない全くの表面融合自体が、この場合では、機械的なしっかりとした囲い込みとして考えられるものとする。
【００１１】
本発明による握りストリップの１つの可能な実施形態は、けん引手段を省くが、このとき、１つの材料または１つの材料化合物から製造することが必要であり、この材料は、一方では、それ自体引っ張り耐性が非常に強く可撓性であり、他方では依然として安定性のものであり、そのため、手すりの駆動装置が、けん引手段によって、ただしたとえばローラ駆動装置によって引っ張ることによって機能しない。
【００１２】
すでに上記で述べられたように、握りストリップは、たとえば射出成形され得る。これに関連して、握りストリップは、プラスチック材料から射出成形または鋳造されることができ、そのため、個々のセグメントからだけでなく、単体品からも長手方向に製造することを可能にする。この構造では、けん引手段は、極めて可撓性であり、容易な偏向を可能にする必要がある。この点において、工場においてシーム位置ですでに連結され、仕上がった握りストリップのリングとして組立て現場に搬送される製造の形が考慮される。しかしながら、最初からリングであり、後で握りストリップリングを形成するのに閉じられなければならない、開いた握りストリップバンドでない製造も考慮される。しかしながら、これに加えて、たとえば突出せず、平滑な連結点を確実にする重なり連結を用いることによる現場での組立ても問題になる。平滑な連結点を確実にすることは、輸送されている人に対する負傷のリスクが存在しないように、特に握りストリップの上側部上で要求される。
【００１３】
握りストリップは、その横断面で見られるように、中実または半中実または中空として単一の材料から作製され得るが、ウエブによって補強された部分的に中空のプロファイル部材からも作製され得る。これに関連して、選択された材料は、要求された、または望まれる、または目的である材料の要求事項をできるだけ満足がいくように同時に実現するための有利なまたはより有利な特性を有する結合または融合を表すものである。
【００１４】
長手方向の一体化設計の変形形態の場合、材料は、循環の屈曲および湾曲を描くことを可能にする上で可撓性である必要がある。しかしながら、それと同時に、材料はまた、屈曲および屈曲における交番する負荷が割れを引き起こさないように柔軟なものでなければならない。ローラ駆動装置の場合、材料は、駆動ローラ（複数可）の推力に耐える十分な摩擦強度を有する必要がある。ガイド表面は、耐摩耗性、耐擦傷性、および硬性のものでなければならず、良好な滑り特性を有さなければならない。握り部の表面は、触覚的に心地よく、しっかりした握りを可能にする必要がある。
【００１５】
したがって、本発明による握りストリップの好ましい実施形態は、以前のようにその横断面では正に一体化構造のものであるが、２つ、３つ、またはそれ以上の材料を有する材料合成物からなる握りストリップが作り出されたために、部分的に相反する材料の要求をより良好に満たすことが想到される。これは、たとえば、共通の射出成形方法でそのように射出成形されたプラスチック材料の２つまたは３つの異なる種類または変形形態でもよく、たとえば、ガイド表面が、非常に良好な滑り能力を備えた高度な耐擦傷性のプラスチック材料からなり、握りストリップの残りの横断面プロファイルが、可撓性および触覚的に心地よいプラスチック材料から形成される。滑りに適合する耐摩耗性のプラスチック材料として適切であるのは、とりわけ、Ｈａｒｄ，ＡｕｓｔｒｉａのＦａｉｇｌｅ社のＰＡＳ（Ｒ）−ＬＸＹである。しかしながら、ＰＴＦＥまたはテフロン、またはポリテトラフルオロエチレンまたはＰＯＭ−ＰＴＦＥ  １８  Ｓｉｌｃ２、ＰＡ６．６  ＰＴＦＥ  １８  Ｓｉｌｃ２、ＰＡ６−ＰＴＦＥ  １３  Ｓｉｌｃ  ２、ＰＡ６．６  ＰＴＦＥ２０、ＰＡ１２  ＰＴＦＥ  １８  Ｓｉｌｃ２、ＰＰＳ  ＰＴＦＥ１５  ＧＦ３０、ＰＡＩ  ＰＴＦＥ２０、ＰＰＳＯ  ＰＴＦＥ２０、ＰＰＳＵ  ＰＴＦＥ２０、ＰＰＥ  ＰＴＦＥ１８、ＰＯＭ−ＰＴＦＥ  １８、ＰＯＭ−ＰＴＦＥ  ２０、ＰＯＭ  ＰＦＴＥ  ２５なども適している。全般的に、本発明によれば、０．０５から０．３５、好ましくは０．１０から０．１５の範囲の摩擦係数を有する材料を利用することが好ましい。全般的に、好ましくは、テフロンプラスチック材料またはポリテトラフルオロエチレンプラスチック材料および／またはＮＡＮＯ滑りラッカーまたはＮＡＮＯ滑り合成材料またはＮＡＮＯ滑り部品またはＮＡＮＯ滑り粒子が使用される。
【００１６】
本発明による握りストリップの別の好ましい実施形態は、３つまたはそれ以上の異なる材料の材料合成物を提供する。この点において、ガイド表面は、上記で説明されたテフロン滑り材料からなることができるが、握りストリップの土台本体領域は、構造的要求（逆屈曲の特性、引っ張り強さ）を最適に実現する材料のものであり、握りストリップの円周領域またはカバー領域は、ここでも軟質で触覚的に心地よい材料のものである。握りストリップの土台本体領域は、好ましくは、３０から１８５Ｎ／ｍｍ２、好ましくは５０から９５Ｎ／ｍｍ２の範囲の屈曲強さを有するプラスチック材料から作製され、１５から３０Ｎ／ｍｍ２の数値もまた考えられる。
【００１７】
本発明による握りストリップのカバー領域の材料特性に関して、触覚的に心地よい材料、好ましくは柔らかい感触の表面および／または発泡体表皮を有する材料が選択される。これは、一方では、接触時の触感が過度の刺激を生じさせないことを意味する。これは、たとえば、粗さ、手滑り特性、温度および熱伝導性に関するものであるが、水分および油分を吸収する能力に関するものでもある。しかしながら、他方では、握りストリップのカバー領域は、安全要求を満たさなければならない。これに関連して関係するのは、特に材料の防炎特性または防火特性、および滑り特性である。材料が滑りやすい場合、エスカレータの傾斜部内ではほとんど握り部が存在しない。それに対して、材料の滑り耐性が強すぎる場合、たとえば衣料品または鞄がこれに固着することによる、事故のリスクおよびハンドリング問題が伴う。握りストリップのカバー層は、好ましくは、０．４から８ミクロンの範囲、好ましくは２ミクロンの粗さおよび／または０．０５から０．５Ｗ／ｍＫ、好ましくは０．２から０．３Ｗ／ｍＫの範囲の比熱伝導性λを有する異なるプラスチック材料から作製される。
【００１８】
基本的に、本発明による握りストリップに対しては、以下の材料：たとえばＰＡ（ポリアミド）、ＰＡ６（Ｐｅｒｌｏｎ（Ｒ））、ＰＯＭ（ポリオキシメチレン、たとえばＤｅｌｒｉｎ（Ｒ））、ＰＥＥＫ（ポリエーテルエーテルケトン）、ＰＡＳ（ポリアリーレンサルファイド）、ＰＥ（ポリエチレン）、ＰＵＲ（ポリウレタン）、ＰＰ（ポリプロピレン）、ＰＶＤＦ（フッ化ポリビニリデン）、ＰＴＦＥ（ポリテトラフルオロエチレン）などのプラスチック材料、天然繊維または複合繊維またはＧＲＰ（ガラス繊維強化プラスチック）またはＣＲＰ（炭素繊維強化プラスチック）またはプレスセメントまたは繊維マトリクスまたはポリトロンまたはプリプレグ（含浸済み繊維）または射出成形されたセラミックまたは麻セメントまたは再利用材料またはすでに挙げられた材料の組合せが考慮され得る。
【００１９】
さらに、本発明による握りストリップをそれが１つだけの材料からなるか、材料合成物からなるかに関係なく、防火性または「自己消火性」材料から構築することが想到される。Ｈａｒｄ、ＡｕｓｔｒｉａのＦａｉｇｌｅ社のＰＡＳ−ＰＶＤＦ、またはここでは、特に、Ｍｉｄｄｌｅｂｕｒｙ、Ｖｅｒｍｏｎｔ、ＵＳＡのＭｏｎａｈａｎ  Ｆｉｌａｍｅｎｔｓ社のＷｙｔｅｘ（Ｒ）という名称のプラスチック材料が考慮される。
【００２０】
握りストリップの材料、すなわち３つのすべての材料または特にカバー層の材料は、追加的に本発明によって以下の付随する目的を実現することができる：
静電気の防止、
遮音、
断冷および断熱、
良好な清掃および清潔度を保つことに関する衛生対策または衛生状態の要求事項の維持、だけでなく、ナノ銀粒子による材料の殺菌および浸透性の可能性、加えてカバー材料の選択的な反射化またはクロム処理または金属化。
【００２１】
国際公開第２００６／０１０１８１号パンフレットは、握りストリップ自体を防火性または自己消火性材料から製造するのではなく、握りストリップにコーティング剤を施すことによって、エスカレータまたはムービングウォークのための手すりの握りストリップの耐火性を改良することを開示している。どの材料または物質が改良された防火性コーティングをもたらすかは、開示されていない。
【００２２】
本発明による握りストリップの横断面プロファイルは、たとえば、凸性および凹性が、載せている手の表面、たとえば閉じている親指により良好に適合するために、人間工学的に改良された構造のものになり得る。好ましい実施形態は、より小さい直径かつ下方からより握りやすいストリップが握りストリップ内に一体化されるために、子供に対して向上した握り性を提供することが想到される。
【００２３】
握りストリップの表面は、粗く、平滑に、波形に、またはぎざぎざになるように構築され得る。さらに、握りストリップの表面は、コ−ティング、塗装、または色づけされることができ、あるいはＰＶＤ表面（「物理的蒸着」＝物理的気相成長）として、金属化（たとえばクロムで蒸着させた）表面として、もしくはＤＬＣ（「ダイヤモンドライクカーボン」＝炭素のダイヤモンドライク保護層）としてまたはプラズマ表面またはナノ表面として構築され得る。
【００２４】
加えて、本発明による手すりの別の好ましい実施形態によれば、表面は、ローラ上の対応する対合ガイドまたはフランジまたは横方向のガイドがその中に嵌合する溝の形態のガイドフルートを有する。したがって、本発明による人運搬装置は、好ましい実施形態では、欄干上側部で、互いに相補的なガイド表面の機械的にしっかりと相互係合によって誘導される手すりが循環されるが、手すりは、ローラによって欄干の下面で支持される。これらのローラの少なくとも１つは、誘導ローラとして設計される。手すりの駆動は、１つまたは複数のホイールによって行うことができる。摩擦ホイールは、けん引手段が手すりストリップ内の定位置に鋳造され、したがって、強化としての役割のみを果たす、または別個のけん引手段を有さない手すりの実施形態の変形形態が関係する場合に特に好ましい。しかしながら、誘導ローラまたはローラ以外に、他の戻りガイドもまた考えられ、加えて、これは、同様に説明されたように欄干下面自体だけでなく、エスカレータまたはムービングウォークの支持構造または枠組みの領域内にくぼみが付けられた、欄干の土台領域内またはその下方にも存在する。
【００２５】
欄干上側部の手すりストリップ／握りストリップの誘導に対して、すでに述べられたように、機械的に正に相互係合する相補的なガイド表面が、本発明によって、欄干上側部および握りストリップに形成される。これは、欄干上側部自体が、最少バージョンで、３つのガイド表面を有する矩形として構築されていることを意味する。このとき、これに対応する握りストリップの３つ相補的なガイド表面だけが欄干を囲むので、握りストリップが、欄干上側表面上に位置し、横方向の表面が横方向の誘導支持を与えるようになる。
【００２６】
しかしながら、本発明による手すりガイドの好ましい実施形態は、握りストリップが、（誘導ローラまたはローラのフランジに対して）力を加えることによって横方向に変位され得ないことを実現する。このために、溝および鍵連結の方法で相互係合する別のガイド表面が設けられる。
【００２７】
本発明によれば、欄干の側面のみに、垂直に支持もするガイド表面を有する手すりガイドを提供することも可能である。この実施形態は、特に、握りストリップの下側部と欄干上側部の間に、中間スペースが残され得るという利点を有し、それにより、手すりの循環速度は、たとえば人がそれらをきつく支持するまたは重い鞄類をその上に置く場合、減速する恐れはなくなる。
【００２８】
本発明による手すりガイドの別の好ましい実施形態は、摩擦係数の増大による速度の減速を回避するために、ガイド表面内に、小さいローラまたは針状軸受または針状ローラ平ベルトまたは円筒ローラ平ベルトを提供する。
【００２９】
本発明による手すりストリップの上述された実施形態は、ガイド表面を備えた欄干上側部自体の構造を開示した。しかしながら、ガイド表面無しの欄干上側部を形成すること、およびその上にガイドレールを装着することも考えられる。
【００３０】
欄干上側部自体にガイド表面が装備されているか、ガイドレールがその上に装着されているかに関係なく、欄干上側部にあるガイド表面の横断面プロファイルは、正または負のものになり得る。握りストリップの下側部にあるガイド表面の横断面プロファイルは、それぞれ、ガイド表面の欄干上側部にあるガイド表面と相補的である。従来の手すりの取り付けとは反対に、ガイドがまた、欄干では負に形成され、握りストリップでは直接正に形成され得るということは、必要性および使用される材料によって捕捉のリスクがより小さい、改善されたより安全なガイドを得ようとする可能性を開く。
【００３１】
本発明による手すりストリップは、すでに上記で説明されたように、長手方向に単体品または複数のセグメントからなる。個々のセグメントを備えた実施形態の場合、手すりストリップの湾曲部または偏向部で分かれる中間空間に、可撓性および可逆性の伸縮ケーシングを設けることを可能にする。しかしながら、可撓性のセグメントと可撓性および可逆性の伸縮ケーシングの組合せは、別の好ましい実施形態を表す。これは、セグメントの可撓性が、ケーシング無しの一体化握りストリップの変形形態の場合と同じ高さにならなくてもよいが、それと同時に、セグメントが可撓性であるために、ケーシングは、そのように広く開く中間空間を覆わなくてよいという利点を提供する。
【００３２】
本発明による手すりの好ましい実施形態によれば、この可撓性および可逆性の伸縮ケーシングは、不燃性材料から作製される。このために、（ケーシング無しの）握りストリップ自体に関してすでに上記で説明されたように、好ましくは、Ｍｉｄｄｌｅｂｕｒｙ、Ｖｅｒｍｏｎｔ、ＵＳＡのＭｏｎａｈａｎ  Ｆｉｌａｍｅｎｔｓ社の合成材料Ｗｙｔｅｘ（Ｒ）が使用される。難燃性合成材料のＷｙｔｅｘ（Ｒ）ＦＲ−ＨおよびＷｙｔｅｘ６は、特に、ハロゲンまたはリンを全く含有しない。これらの合成材料は、ナイロンまたはポリアミドのすべての有利な硬性および強さ特性を有し、加えて、毒性度、酸性度、および煙の光学濃度が非常に低いという利点も有する。さらに、材料は、自己消火性および防火性および難燃性のものである。可燃性は、０．７５ｍｍ厚さにおける保険業者研究所の試験ＵＬ  ９４において、（Ｖゼロとして定められた）クラスＶ０に相当する。これは、単に、定められた材料の厚さの試料が、垂直に固定され、直火にさらされた後、１０秒未満で自己消火することを意味する。こうして、自己消火性が証明され、極度の難燃性が与えられる。
【００３３】
加えて、これらの合成材料は、顕著な電気絶縁特性を有する一方で、高い機械強さを維持する。基本材料の基本的な特徴は以下のとおりである：
密度１．１６ｋｇ／ｄｍ３
Ｉｚｏｄによる衝撃靱性  ４０Ｊ／ｍ２
引き裂き／引き伸ばし強さ  ７５Ｎ／ｍｍ２
固有の伸び率  １０％
屈曲強さ  ９５Ｎ／ｍｍ２
弾性率  ２３００Ｎ／ｍｍ２
クリープ電流強さ＞６００Ｖ
変形温度  １９０℃
酸素指数  ３４％
０．７５ｍｍにおけるＵＬ９４による可燃性は、Ｖ０に相当する。
毒性指数  ３８
煙の光学濃度  ７５（Ｆ）／５０（ＩＭＦ）Ｄｍ
煙の酸性度  ８ｐＨ。
【００３４】
セグメントを備えた実施形態の最後に説明された変形形態はまた、本発明によれば、けん引手段が装備され得ない。この場合、セグメント間に回転可能な連結が存在しなければならない。これは、たとえばウエブおよびその周りで閉じる結合器または爪によって確実にされ得る。しかしながら、自転車の鎖の場合のようにピンおよびピン穴によって実現される連結もまた非常に適している。
【００３５】
本出願の教示と同じ出願人によって同時に出願された出願（手すりを備える、人運搬装置、特にエスカレータまたはムービングウォーク）の教示を組み合わせることができる可能性が、明示的に言及される。さらにもっとまたはそれ以上または何倍も改良された材料特性および安全特性を備えた手すりが、別の本出願人の補完出願で開示される。
【００３６】
本発明による手すりの別のまたは有利な実施形態は、従属請求項の主題を形成する。
【００３７】
本発明は、より詳細に象徴的にかつ図に基づいた例によって説明される。
【００３８】
図は、連結的かつ全般的に説明される。同じ参照符号は、同じ構成要素を表し、異なる添え字を有する参照符号は、機能的に同等または類似の構成要素を示す。
【図面の簡単な説明】
【００３９】
【図１】本発明による人運搬装置の概略図である。
【図２】本発明による手すりの図１の横断面軸Ａ−Ａに沿った横断面図である。
【図３】本発明による任意選択で設計された手すりの図１の同じ横断面軸Ａ−Ａに沿った横断面図である。
【図４】横断面図で横断面化され、材料化合物からなる、本発明による握りストリップの概略図である。
【図５ａ】手すりの特別な形態を示す図である。
【図５ｂ】手すりの特別な形態を示す図である。
【図５ｃ】手すりの特別な形態を示す図である。
【図６ａ】ガイドローラを用いることによる、特別に成形された握りストリップのガイドを示す図である。
【図６ｂ】ガイドローラを用いることによる、特別に成形された握りストリップのガイドを示す図である。
【図７ａ】握りストリップの別の好ましい形態を示す図である。
【図７ｂ】握りストリップの別の好ましい形態を示す図である。
【図８】湾曲部または手すり湾曲部内のセグメント隙間の変化の概略図である。
【発明を実施するための形態】
【００４０】
エスカレータが、図１において、人運搬装置１に関する例として極めて概略的な側面図から示されている。エスカレータは、レベルＥ１からレベルＥ２までまたはその逆に人を運搬する。このために、エスカレータは、個々のステップ２２のための循環部からなる基礎構造と、欄干６を回る手すり２から実質的に形成された上部構造とを有する。したがって、握りストリップ３が、握りストリップの下側部１０に形成されたガイド表面５を用いることによってガイド４または手すりガイド４内で欄干上側部７に沿って走行するために、手すり２は、ステップ２２の上向きおよび下向き移動に随伴する位置にある。握りストリップ３は、たとえばローラ２０ａ〜２０ｃ、２１によって欄干の下側部１９において偏向される。握りストリップ３の戻りガイドは、ここでは、欄干の下側部における任意選択のローラによって示されている。ローラ２１は、調整装置２３によって調整可能になる誘導ローラとして構築され、これは、両矢印を用いて示されている。少なくとも１つが駆動している２つの両側のローラから形成された駆動装置８は、握りストリップ３をガイド４およびローラ２０ａ〜２０ｆおよび２１から形成された循環経路内で、時計方向または反時計方向の感覚でそれぞれ上向きまたは下向きの輸送方向に回転させる。横断面軸Ａ−Ａは、手すり２の上部分ならびに握りストリップ３およびガイド４または手すりガイド４を貫通して切り取られたものである。
【００４１】
図２は、図１の横断面軸Ａ−Ａによる横断面図として、ガイド４または手すりガイド４が本発明によってどのように構築され得るか、すなわち欄干上側部７の欄干６ｃがガイド表面５ａ〜５ｅの形状で正の横断面プロファイル１５ａを形成している点において概略的に示している。握りストリップ３または３ｃは、けん引手段９ｃによって、長手方向１４に、シートの平面に入るようにまたはそこから出るように引かれる。けん引手段９は、握りストリップ３内の対応するくぼみ１３に嵌合する、けん引運搬具１２の形態の突出部である。握りストリップ３は、その握りストリップの下側部１０のところに、ガイド表面１１ａ〜１１ｇを用いることによって、負の横断面プロファイル１５ｂを形成する。欄干６ａは、中実の構造のものであるように図示されているが、中空でもよく、あるいは横断面プロファイル部材１５ａのように構築され得る、横断面プロファイル部材がその上に着座する上側縁上において、垂直に配設された１枚のプレートまたはシートまたはパネルまたは嵌め込みパネルまたはパネル壁のみからなることができる。けん引手段は、さまざまな形態の構造のものでよく、たとえば、ベルト、支持ベルト、鎖、アラミドベルト、歯車付きベルト、ポリ−Ｖ−ベルト、ヘリングボーン歯車付きベルト、伝達鎖などでよい。
【００４２】
図３は、これもまた図１の横断面軸Ａ−Ａに対応する、欄干６ｂが、ガイド表面５ｆ〜５ｍが負に成形された横断面プロファイル１５ｃを形成するように、その欄干上側部７に構築されるガイド４の別の実施形態を示している。握りストリップ３ａは、正の横断面プロファイル１５ｄとしてガイド表面１１ｈ〜１１ｎと共に形成され、２つのベルト部分、すなわち鎖部分、支持ベルト部分または歯車付きベルト部分９ａおよび９ｂによって引っ張られる。
【００４３】
図４は、一体的に形成されるが、２つまたは３つまたはそれ以上の異なる材料の材料化合物からなる握りストリップ３ｂを示している。握りストリップのガイド部分１６は、１つの材料から形成され、握りストリップの土台領域１７は別の材料から、握りストリップのカバー層１８もまた、異なる基本的特性または保護特性を有し、２つの先述された材料とは異なる別の材料から形成される。
【００４４】
図５ａから図５ｃは、ここでも横断面軸Ａ−Ａによる横断面で任意選択の手すり２ｃを示している。欄干６ｃ上に配置されているのは、ガイド４内に受け入れられたガイドプロファイル部材２４である。けん引手段９ｃは、そのために形成されたレセプタクル３２を用いることによって握りストリップ３ｃ内に一体化される。握りストリップ３ｃは、任意選択の上側ブレーシング２７ａおよび２７ｂと、下側ブレーシング２８ａおよび２８ｂと、空間２９ａから２９ｄまたは空洞とを有する。さらに、次の図で説明される機能を有する２つの溝２５ａおよび２５ｂが、任意選択で握りストリップ３ｃの上側部に形成され得る。握りストリップ３ｃは、ガイドプロファイル部材２４上へと長手方向１４に押し出されまたは引っ張られ得る。図５ｃは、けん引手段９ｃが、どのようにして握り部３ｃ内に容易にかつ簡単に収容され得るかを示している。レセプタクル３２は、けん引手段９ｃを受け入れ、それを恒久的に収容する。
【００４５】
図６ａおよび図６ｂは、握りストリップ３ｃの上側部が２つの長手方向に延びる溝２５ａおよび２５ｂを有する目的を示している。手すりの戻り誘導では、したがって、欄干の下側部（握りストリップ３ｃが、鏡像で示されている、またはその１８０°逆さまに回転されている）に沿って、本発明による手すりは、特にガイドローラ２０または誘導ローラ２０によって誘導および／または駆動もされ得る。対応するフランジまたは横方向のガイド２６ａおよび２６ｂは、横方向の誘導および安定性をより良好にするためだけでなく、接触面積を増大するために溝２５ａおよび２５ｂ内に係合する。
【００４６】
図７ａおよび図７ｂは、特別な別の使用可能な横断面プロファイルを有する手すり２ｄまたは２ｅ、握りストリップ３ｄおよび３ｅの追加の任意選択の形態を示している。図７ａに示されるのは、握りストリップ３ｄであり、この握りストリップ３ｄは、横断面に、図５に示された上側部ブレーシング２７ａおよび２７ｂ、ならびに下側ブレーシング２８ａおよび２８ｂ、または空間２９ａから２９ｄまたは空洞を有するが、それに加えて、上側領域内に、補強コンパートメント３０を備えた二重に強化された構造および／または二重壁構造を有する。本発明によるこの実施形態は、安定性および材料の対合性に対するだけでなく、絶縁および減衰ならびに改良された触覚および強化された握り性に対しても利点をもたらす。図７ｂは、例として、好ましくは欄干６ｃの内側に配置され、たとえば子供が、ハンドストリップまたは握りストリップ上に、より安全かつより容易な握り部、保持部または保持ノブを見つけることができる、隆起部３１または凸部３１または子供用ハンドグリップ３１を示している。
【００４７】
図８は、手すり偏向領域内または手すり湾曲部内の手すり２ｃの握りストリップ３ｃの個々の手すりセグメントの傾斜変化を示している。手すりセグメントの偏向湾曲部上の角度の偏差は、最大でも１．５ｍｍから２ｍｍの移動変化または間隔変化を可能にし、すなわちセグメントの隙間変化は、最大でも１．５ｍｍから２ｍｍであり、セグメントの重複領域は、３ｍｍから５ｍｍで十分に寸法設定される。さらに、空隙または開放隙間の形は生じず、それにより、捕捉されるまたは挟まれるリスクは存在しない。けん引手段９ｃは、湾曲領域または偏向領域内の角度または間隔の変化が、容易に、直ちに、かつ簡単に可能になるような可撓性または弾性または連接型の構造のものである。握りストリップ３ｃの個々の手すりセグメントのけん引手段９ｃ上へのまたはこれとの必要な固定または締め付けは、レセプタクル３２によって非常に満足のいくように提供される。手すりセグメントの追加の固定は、可能であり考えられるが、省略されてもよい。
【図１】
0005542125.tif 000002
【図２】
0005542125.tif 000003
【図３】
0005542125.tif 000004
【図４】
0005542125.tif 000005
【図５ａ】
0005542125.tif 000006
【図５ｂ】
0005542125.tif 000007
【図５ｃ】
0005542125.tif 000008
【図６ａ】
0005542125.tif 000009
【図６ｂ】
0005542125.tif 000010
【図７ａ】
0005542125.tif 000011
【図７ｂ】
0005542125.tif 000012
【図８】
0005542125.tif 000013